(57)【特許請求の範囲】
【請求項１】
無線通信可能な親機と子機とからなり、前記親機は、デモンストレーション機能を自己が実行するとき、前記子機に開始指示信号を送信するよう制御する制御手段を有し、前記子機は、親機からの開始指示信号を受信したとき、デモンストレーション機能を実行する制御手段を有する通信システム、の通信装置であって、
前記子機は、自身が充電状態であるか否かを判定する判定手段を有し、
前記子機は、前記判定手段が充電状態であると判定しているとき、親機からの開始指示信号を受信するとデモンストレーション機能を実行し、一方、前記判定手段が充電状態でないと判定しているときにはデモ機能を実行しないことを特徴とする通信装置。
【発明の詳細な説明】
【０００１】
【産業上の利用分野】
本発明は、デモンストレーション機能を実行する通信装置に関する。
【０００２】
【従来の技術】
近年の電話装置には、デモンストレーション機能(以下、デモ機能と称す)を有するものがある。前記デモ機能とは、装置を使用しない際に液晶表示部に静止画像或いは動画画像を表示させたり、ＬＥＤを点滅或いは点灯させる機能である。
【０００３】
このようなデモ機能を作動させて店頭に並べることによりお客の関心を装置に向けることができる為、デモ機能は販売促進の為にはなくてはならない機能である。
【０００４】
しかし、このようなデモ機能は、一般ユーザが購入した後は不要であり、一般家庭でデモ機能となるとかえって故障したと間違われる為、通常電源投入時或いは投入後に複雑な操作を行わなければデモ機能が作動しないように設計されている
又、このような複雑な操作をすることなくデモ機能の実行ができ、しかもユーザには実行することができない方法として、電源投入時にデモ用のモジュラージャックを挿入するだけでデモ機能を実行させる技術が提案されている(例えば、特開平５−１３０１７６号公報参照)。
【０００５】
【発明が解決しようとする課題】
ところが、コードレス電話装置の親機と子機に上記デモ機能を搭載する場合、販売店が親機と子機の両方にデモ機能実行の為の複雑な操作を行わなければならず、非常に面倒である。
【０００６】
又、モジュラージャックを挿入してデモ機能を実行する方法にあっては、子機には通常モジュラージャックを接続する機能がない為、少なくとも子機側ではデモ機能実行の為の複雑な操作を行わなければならない。
【０００７】
本発明は、無線通信可能な親機と子機とからなり、前記親機は、デモンストレーション機能を自己が実行するとき、前記子機に開始指示信号を送信するよう制御する制御手段を有し、前記子機は、親機からの開始指示信号を受信したとき、デモンストレーション機能を実行する制御手段を有する通信システム、の通信装置であって、前記子機は、自身が充電状態であるか否かを判定する判定手段を有し、前記子機は、前記判定手段が充電状態であると判定しているとき、親機からの開始指示信号を受信するとデモンストレーション機能を実行し、一方、前記判定手段が充電状態でないと判定しているときにはデモ機能を実行しないことを特徴とする。
【００１２】
【発明の実施の形態】
図１は、本発明を適用してなる実施例装置である通信装置（コードレス電話装置）の親機１００のブロック図である。
【００１３】
図１において、入力部１１０は、デモ機能を開始する為のキーや、テンキー等を有している。
【００１４】
デモ情報記憶部１２０は、例えばＲＯＭ（Ｒｅａｄ  Ｏｎｌｙ  Ｍｅｍｏｒｙ）からなり、表示部１３０に表示するデモ機能用の画情報を格納している。
【００１５】
表示部１３０は、デモ機能時には前記デモ情報記憶部１２０に格納されている画情報を表示し、発呼時や待機状態時には相手先の電話番号や氏名等を表示可能である。
【００１６】
ＬＥＤ部１４０は、複数のＬＥＤ（Ｌｉｇｈｔ  Ｅｍｉｔｔｉｎｇ  Ｄｉｏｄｅ）からなり、デモ機能時には後述する制御部２６０の制御の下ＬＥＤの点滅動作や点灯動作を行う。
【００１７】
送受信部１５０は、アンテナ１６０と接続されており、子機５００との間で無線接続動作やデモ機能の開始又は終了を示す信号の送受信等を行う。
【００１８】
ダイオードブリッジ１７０は、回線端子Ｌ１、Ｌ２と接続されており、回線端子Ｌ１、Ｌ２の極性が判定しても親機１００内の回路の電位状態を一定に保つことを可能にしている。
【００１９】
網制御部１８０は、前記ダイオードブリッジ１７０と接続されており、送受話器がオンフック或いはオフフックされたことを検出するフック検出回路（図示せず）の検出に基づいて、後述する制御部２６０の制御の下回線閉結及び開放動作を行う。
【００２０】
スピーチネットワーク部１９０は、前記網制御部１８０と接続されており、前記網制御部１８０を介して回線Ｌから入力した音声信号を前記送受信部１５０又は後述するスピーカ２００へ切替出力する。又、前記送受信部１５０や後述するマイク２１０から入力した音声信号を網制御部１８０を介して回線Ｌへ切り換え送出する。尚、前記スピーチネットワーク部１９０は、入力した音声信号の増幅を行う増幅器やミュートを行うミュート回路等を有している。
【００２１】
スピーカ２００は、回線Ｌ又は子機５００からの音声信号を送出する。
【００２２】
マイク２１０は、親機１００のユーザが発した音声信号を前記スピーチネットワーク部１９０へ送出する。
【００２３】
極性検出回路２２０は、回線Ｌの極性が反転したか否かを検出する。
【００２４】
電源回路２３０は、交流と直流の変換を行うＡＣ／ＤＣ変換部２４０を有するアダプタ２５０と接続されており、前記アダプタ２５０からの電圧を親機１００内で使用する電圧に変換し、図示しない電源ラインを介して親機１００内の各回路に電力を供給する。
【００２５】
制御部２６０は内部に格納された制御プログラムに基づいて上記各回路の制御を司る。
【００２６】
図２は本実施例装置の子機５００のブロック図である。
【００２７】
図２において、送受信部５１０は、アンテナ５２０と接続されており、親機１００との間の無線通信動作やデモ機能開始や終了を示す信号の送受信を行う。
【００２８】
通話回路５３０は、前記送受信部５１０と接続されており、前記送受信部５１０が親機１００から受信した音声信号を後述するスピーカ５４０へ出力する。又、前記マイク５５０から入力した音声信号を送受信部５１０へ送出する。尚、前記通話回路５３０には、入力した音声信号の増幅を行う為の増幅回路やミュートを行う為のミュート回路等が配されており、これらの回路に音声信号を通して増幅やミュート処理を施すことが可能である。
【００２９】
スピーカ５４０は、送受信部５１０が受信した音声信号を送出する。
【００３０】
マイク５５０は、子機５００のユーザが発した音声信号を前記通話回路５３０へ送出する。
【００３１】
入力部５６０は、デモ機能の開始又は終了を指示する為のキーや、テンキー等からなる。
【００３２】
デモ情報記憶部５７０は、例えばＲＯＭ（Ｒｅａｄ  Ｏｎｌｙ  Ｍｅｍｏｒｙ）からなり、表示部１３０に表示するデモ機能用の画情報を格納している。
【００３３】
記憶部５８０は、電力の供給が断となった場合でも格納されている情報を保持可能な記憶素子で構成され、例えばＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）からなり、現在子機５００がデモ機能であるか否かを示す情報（デモ機能オン、オフ用のフラグ）が格納されている。又、前記送受信部５１０が受信した電波に含まれているデモ機能開始又は終了の指示に基づいて制御部６１０により前記フラグがオン又はオフされる。
【００３４】
尚、前記記憶部５８０は、ＥＥＰＲＯＭでなくとも良く、ＲＡＭ（Ｒａｎｄｏｍ  Ａｃｃｅｓｓ  Ｍｅｍｏｒｙ）にバックアップ用の電源を別途設ける構成としても良い。
【００３５】
表示部５９０は、デモ機能時には前記デモ情報記憶部５７０に格納されている画情報を表示し、発呼時や待機状態時には相手先の電話番号や氏名等を表示可能である。
【００３６】
ＬＥＤ部６００は、複数のＬＥＤ（Ｌｉｇｈｔ  Ｅｍｉｔｔｉｎｇ  Ｄｉｏｄｅ）からなり、デモ機能時には後述する制御部６１０の制御の下ＬＥＤの点滅動作や点灯動作を行う。
【００３７】
制御部６１０は、内部に格納された制御プログラム（図示せず）に基づいて上記各回路の制御を司る。
【００３８】
ダイオードブリッジ６２０は、２つの端子Ｓ１とＳ２を有しており、バッテリ６３０からの電流が充電器７００側に流れ込むのを防止している。又、前記ダイオードブリッジ６２０のＳ１、Ｓ２端子側（充電器７００側）からは２本の信号ライン（ＣＨＧ１、ＣＨＧ２）が制御部６１０へと延びており、制御部６１０がこの２つのラインにおける信号の有無を検出することにより、現在充電中であるか否かを判定することができる。
【００３９】
バッテリ６３０は、例えばニッケルカドミウム等の２次電池からなり、子機５００が充電器７００に設置されている際には、前記充電器７００から入力した電力により充電される。一方、子機５００が充電器７００に設置されていない場合には、バッテリ６３０に充電されている電力により子機５００を稼動することが可能である。
【００４０】
電源回路６４０は、例えばレギュレータからなり、バッテリ６３０から入力した電圧を子機５００内で使用する電圧に変換し、図示しない電源ラインを介して子機５００内の各回路に電力を供給する。
【００４１】
次に充電器７００の回路構成について説明する。
【００４２】
充電器７００は、商用電源から入力した交流電流を直流電流に変換するＡＣ／ＤＣ変換部７１０を有しており、子機５００を充電器７００に配置した状態では、前記ＡＣ／ＤＣ変換部７１０で変換された直流電流は、端子Ｓ３、Ｓ４及び端子Ｓ１、Ｓ２を介して子機５００側へ入力される。
【００４３】
次に、本発明を適用してなる第1の実施例について説明する。
【００４４】
図３は第1実施例の親機１００の動作を示すフロー図であり、図４は第1実施例の子機５００の動作を示すフロー図である。
【００４５】
先ず、親機１００の動作を図３を用いて説明する。
【００４６】
Ｓ１ステップでは、制御部２６０は、入力部１１０からデモ機能実行を示す複数のキーの押下信号を検出するとＳ２ステップへ処理を進め、一方、前記信号を検出しない場合にはＳ３ステップへ処理を進める。
【００４７】
Ｓ２ステップでは、制御部２６０は、送受信部１５０を制御することによりデモ機能開始を示す信号を子機５００へ送信させ、デモ機能を実行させる。具体的には、制御部６１０が、デモ情報記憶部５７０に格納されているデモ用の画情報を読み込み表示部５９０に表示させ、又、ＬＥＤ部６００に配置されているＬＥＤを点灯又は点滅させる。その後、制御部６１０は、Ｓ１ステップへ処理を戻す。
【００４８】
Ｓ３ステップでは、制御部２６０は、入力部１１０からデモ機能終了のキー押下信号を検出するとＳ４ステップへ処理を進め、一方、前記押下信号を検出しない場合にはＳ５ステップへ処理を進める。
【００４９】
Ｓ４ステップでは、制御部２６０は、送受信部１５０を制御することによりデモ機能終了を示す信号を子機５００へ送信させると共にデモ機能を終了させる。具体的には、制御部２６０が、表示部１３０を制御することにより表示部１３０に表示させているデモ画面の表示を停止させると共に、ＬＥＤ部１４０におけるＬＥＤの点灯或いは点滅動作を停止させる。その後、制御部２６０は、Ｓ１ステップへ処理を戻す。
【００５０】
Ｓ５ステップでは、制御部２６０は、デモ機能開始又は終了以外のキー押下信号を検出するとＳ６ステップへ処理を進め、一方、前記押下信号を検出しない場合にはＳ１ステップへ処理を戻す。
【００５１】
Ｓ６ステップでは、制御部２６０は、前記Ｓ５ステップで押下検出されたキーに対応する制御を行い、Ｓ１ステップへ処理を戻す。
【００５２】
次に子機５００の動作について、図４を用いて以下に説明する。
【００５３】
Ｓ１０ステップにおいて、制御部６１０は、記憶部５８０に格納されているデモ機能フラグをオフにし、Ｓ１１ステップへ処理を進める。
【００５４】
Ｓ１１ステップでは、制御部６１０は、送受信部５１０からデモ機能終了を示す信号を受信したことを示す信号を検出するとＳ１２ステップへ処理を進め、一方、検出しない場合にはＳ１４ステップへ処理を進める。
【００５５】
Ｓ１２ステップでは、制御部６１０は、記憶部５８０に格納されているデモ機能フラグをオフにし、Ｓ１３ステップへ処理を進める。尚、Ｓ１２ステップにおいて予めデモ機能フラグがオフである場合には、フラグのオフ状態を維持させる。
【００５６】
Ｓ１３ステップでは、制御部６１０は、デモ機能を開始しないように装置を制御し、又、デモ機能を実行している場合にはデモ機能を停止させる。具体的には、制御部６１０が、表示部５９０とＬＥＤ部６００を制御することによりデモ用画像の表示を停止させると共にＬＥＤの発光動作を停止させ、Ｓ１１ステップへ処理を戻す。
【００５７】
Ｓ１４ステップでは、制御部６１０は、送受信部５１０からデモ機能終了の指示信号を受信したことを示す信号を検出すると、Ｓ１５ステップへ処理を進め、一方、前記信号を検出しない場合には、Ｓ１７ステップへ処理を進める。
【００５８】
Ｓ１５ステップでは、制御部６１０は、記憶部５８０に格納されているデモ機能フラグをオンし、Ｓ１６ステップへ処理を進める。
【００５９】
尚、記憶部５８０に格納されているフラグが初めからオンである場合には、その状態を維持する。
【００６０】
Ｓ１６ステップでは、制御部６１０はデモ機能を実行する。具体的には、制御部６１０が、デモ情報記憶部５７０に格納されているデモ機能用の画像データを読み込み、読み込んだ画像データを表示部５９０に表示させると共に、ＬＥＤ部６００のＬＥＤを点滅或いは点灯させ、Ｓ１１ステップへ処理を戻す。
【００６１】
Ｓ１７ステップでは、制御部６１０は記憶部５８０に格納されているデモ機能フラグがオンであると判定するとＳ１８ステップへ処理を進め、一方、オフであると判定するとＳ１１ステップへ処理を戻す。
【００６２】
Ｓ１８ステップでは、制御部６１０は、デモ機能が継続して行われるように装置を制御し、Ｓ１１ステップへ処理を戻す。
【００６３】
このように、第1実施例の通信装置では、親機１００がデモ機能となると親機１００から子機５００へデモ機能開始の指示信号が送信される。一方、子機５００は、前記開始指示信号の受信に基づいてデモ機能を開始又は終了する。
【００６４】
しかし、子機は充電器に配置されていない際には通常バッテリからの電力により駆動されている。この為、子機が充電器に配置されていない状態で開始指示信号を受信しデモ機能を開始すると、バッテリの電力が急激に消費されてなくなると同時に子機のデモ機能も停止する。
【００６５】
以下、このような問題を解決する通信装置として第2の実施例装置を説明する。
【００６６】
尚、親機１００の動作は、第1実施例と同一である為説明を省略する。
【００６７】
図５は、第2実施例における子機５００の動作を示すフロー図である。
【００６８】
まず、Ｓ２０ステップにおいて、制御部６１０は、記憶部５８０に格納されているデモ機能フラグをオフにし、Ｓ２１ステップへ処理を進める。
【００６９】
Ｓ２１ステップでは、制御部６１０は、電源回路６４０から子機５００が充電中であることを示す信号を検出するとＳ２２ステップへ処理を進め、一方、前記信号を検出しない場合には、Ｓ２４ステップへ処理を進める。
【００７０】
Ｓ２２ステップでは、制御部６１０は、送受信部５１０からデモ機能終了を示す信号を受信したことを示す信号を検出するとＳ２３ステップへ処理を進め、一方、検出しない場合にはＳ２５ステップへ処理を進める。
【００７１】
Ｓ２３ステップでは、制御部６１０は、記憶部５８０に格納されているデモ機能フラグをオフにし、Ｓ２４ステップへ処理を進める。尚、Ｓ２３ステップにおいて予めデモ機能フラグがオフである場合には、フラグのオフ状態を維持させる。
【００７２】
Ｓ２４ステップでは、制御部６１０は、デモ機能を開始しないように装置を制御し、又、デモ機能を実行している場合にはデモ機能を停止させる。具体的には、制御部６１０が、表示部５９０とＬＥＤ部６００を制御することによりデモ用画像の表示を停止させると共にＬＥＤの発光動作を停止させ、Ｓ２１ステップへ処理を戻す。
【００７３】
Ｓ２５〜Ｓ２９ステップでは、制御部６１０は、図４に示すＳ１４ステップ〜Ｓ１８ステップと同様の処理を行う為、説明を省略する。
【００７４】
このように第２実施例の通信装置では、子機２００は充電器７００に配置されていなければデモ開始指示信号を受信してもデモ機能を実行しない為、第１実施例のように、子機２００が充電器７００に配置されていない状態でデモ機能を開始し短時間でバッテリを消費することがない。
【００７５】
以上説明したように、本実施例の通信装置では、親機１００がデモ機能開始又は停止となると親機１００から子機５００へデモ機能開始又は停止の指示信号が送信される。一方、子機５００側では、前記指示信号の受信に基づいて自動的にデモ機能開始又は停止となる。この為、親機と子機両方にデモ機能実行及び停止の指示を施さなくとも、親機と子機両方のデモ機能を実行又は停止させることが可能である。
【００７６】
更に、子機５００内のデモ機能オン、オフフラグがオンとなった後に子機５００のバッテリ６３０がなくなってもフラグのオンは維持されたままであるので、子機５００を再度充電器に配置すれば自動的にデモ機能を開始する。この為、子機５００の電池がなくなった後の電源供給時に再度デモ機能開始の為の操作を行う必要がない。
【００７７】
尚、本実施例では、コードレス電話装置の親機と子機において実施したが、無線によりデータの送受信が可能な携帯電話装置の基地局と移動端末間や、回線によりデータの送受信が可能なホストコンピュータと端末間等において実施してもよい。
【００７８】
又、親機１００から子機５００へデモンストレーション開始を指示する信号と共にデモンストレーション用の画情報を送信する構成としても良い。
【００７９】
【発明の効果】
本発明のデモンストレーション機能実行方法、通信システム及び装置は、親機をデモ機能にするだけで自動的に子機もデモ機能にすることが可能である。
【図面の簡単な説明】
【図１】本発明を適用してなる実施例装置の親機１００のブロック図である。
【図２】本実施例装置の子機５００のブロック図である。
【図３】親機１００の動作を示すフロー図である。
【図４】第１実施例における子機５００の動作を示すフロー図である。
【図５】第２実施例における子機５００の動作を示すフロー図である。
【符号の説明】
１００  親機
１１０  入力部
１３０  表示部
１４０  ＬＥＤ部
１５０  送受信部
５００  子機
５１０  送受信部
５８０  記憶部
５９０  表示部
６００  ＬＥＤ部
６１０  制御部
７００  充電器
【図１】
0003802315.tif 000002
【図２】
0003802315.tif 000003
【図３】
0003802315.tif 000004
【図４】
0003802315.tif 000005
【図５】
0003802315.tif 000006